(57)【特許請求の範囲】
【請求項１】
流入部と、
この流入部と連通した絞り流路と、
この絞り流路と連通し、噴出口を有する乱流発生部と、
乱流発生部の内周面から突出する乱流発生体と
を具備したことを特徴とする水流揺動ノズル体。
【請求項２】
乱流発生体は、
先端部が乱流発生部の長手方向に沿った中心軸上に位置する
ことを特徴とする請求項１記載の水流揺動ノズル体。
【発明の詳細な説明】
【技術分野】
【０００１】
本発明は、例えば水等の液体を揺動させて噴出し広範囲に散布できる水流揺動ノズル体に関する。
【背景技術】
【０００２】
従来、例えば踏切内の消雪や畑地の灌水等で水等の液体を散布するスプリンクラは、ノズル本体に回転機構を有し、ノズルから液体を噴出する際の水流や水圧等を利用してノズル本体を回転させ、液体を多方向に噴出する。
【０００３】
このように液体を多方向に噴出することにより、液体を広範囲に噴出でき、効果的に例えば消雪や灌水等ができる。
【０００４】
そして、回転自在なノズル本体を備えたスプリンクラ本体を、このスプリンクラ本体の機軸を中心に揺動自在に構成することにより、例えば液体を噴出する際の液体の流体圧力をエネルギ源として、ノズル本体を回転させるとともにスプリンクラ本体を揺動させながら液体を噴出し、より広範囲に液体を噴出できるようにしたものがある（例えば、特許文献１参照。）。
【特許文献１】特開平８−２９００７９号公報（第２−５頁、図１）
【発明の開示】
【発明が解決しようとする課題】
【０００５】
しかしながら上述した特許文献１のスプリンクラでは、液体を噴出する際のノズル本体の回転動作およびスプリンクラ本体の揺動動作によって広範囲に液体を噴出できるものの、ノズル本体を回転可能にし、さらに、スプリンクラ本体を揺動可能にするには、ノズル本体およびスプリンクラ本体それぞれに回転機構を設ける必要があり、構成が複雑になるので、容易に製造できない問題が考えられる。
【０００６】
本発明はこのような点に鑑みなされたもので、液体を広範囲に噴出でき、容易に製造できる水流揺動ノズル体を提供する。
【課題を解決するための手段】
【０００７】
請求項１に記載された発明は、流入部と、この流入部と連通した絞り流路と、この絞り流路と連通し、噴出口を有する乱流発生部と、乱流発生部の内周面から突出する乱流発生体とを具備した水流揺動ノズル体である。
【０００８】
請求項２に記載された発明は、請求項１に記載された水流揺動ノズル体において、乱流発生体が、先端部が乱流発生部の長手方向に沿った中心軸上に位置するものである。
【発明の効果】
【０００９】
請求項１に記載された発明によれば、乱流発生部に乱流発生体が設けられたことにより、前記乱流発生部内で液体に乱流を発生させ、前記乱流発生部の噴出口から前記液体を揺動させて広範囲に噴出できる。
【００１０】
また、流入部と絞り流路と前記乱流発生部とを連通させ、前記乱流発生部にこの乱流発生部の内周面から突出する乱流発生体を設けるだけであるので、容易に製造できる。
【００１１】
請求項２に記載された発明によれば、乱流発生体の先端部が、乱流発生部の長手方向に沿った中心軸上に位置することにより、前記乱流発生体により前記乱流発生部内でより確実に液体に乱流を発生でき、液体を揺動させて広範囲に噴出できる。
【発明を実施するための最良の形態】
【００１２】
以下、本発明の実施の形態を図１を参照しながら詳細に説明する。
【００１３】
図１に示される水流揺動ノズル体１は、例えば水等の液体を噴出して散布することにより、鉄道の線路の消雪や畑地の灌水、道路や壁体の清掃等に用いられる。
【００１４】
この水流揺動ノズル体１は、流入部２とこの流入部２の先端に一体的に連通した絞り流路３とを備え、絞り流路３は、先端部に噴出口４を有する乱流発生部５と連通している。さらに、乱流発生部５内の絞り流路３の先端部近傍には、乱流発生部５の内周面から突出するように乱流発生体７が設けられている。
【００１５】
流入部２は、筒状の形状であり、この流入部２の基端部が図示しない球面継ぎ手を介して給水用の配管に接続され、この球面継ぎ手によって液体の流動方向が設定される。
【００１６】
さらに、流入部２の先端部には筒状の絞り流路３が一体的に連通されており、この絞り流路３は、流入部２より内径が小さく形成され、流入部２から絞り流路３へ液体が流入することにより、液体が加圧され、乱流発生部５の方向へ付勢される。
【００１７】
乱流発生部５は、筒状の形状であり、先端部には噴出口４が設けられ、基端部は開口されて嵌合部６が形成されている。この嵌合部６の内径は、絞り流路３の外径よりやや大きく形成され、絞り流路３と乱流発生部５の嵌合部６とが嵌合されて、絞り流路３と乱流発生部５とが連通し、流入部２の長手方向に沿った中心軸と、絞り流路３の長手方向に沿った中心軸と、乱流発生部５の長手方向に沿った中心軸と、噴出口４とが同一線上に位置する。
【００１８】
このように、流入部２と絞り流路３と乱流発生部５とが連通することにより、流入部２から絞り流路３へ流動し加圧されて乱流発生部５の方向へ付勢された液体が乱流発生部５に流入する。
【００１９】
そして、乱流発生部５には、絞り流路３の先端部の近傍に位置し、乱流発生部５の内周面から突出する乱流発生体７が設けられており、絞り流路３から乱流発生部５に流入する液体が乱流発生体７に衝突する。
【００２０】
乱流発生部５内では、液体が乱流発生体７に衝突することにより液体が乱流発生体７の周囲に回り込むように流動し、乱流発生体７より噴出口４側に渦８が発生して液体に乱流が発生する。
【００２１】
ここで、乱流発生部５の内周面から突出する乱流発生体７の先端部は、乱流発生部５の長手方向に沿った中心軸上に位置する構成とすることにより、乱流発生体７に液体が衝突して、乱流発生部５内で乱流が発生し易いので好ましいが、この構成には限定されず、乱流発生体７によって乱流発生部５内で乱流が発生できればよい。
【００２２】
乱流発生体７は、ねじ形状のものであり、乱流発生部５の外側面には例えばボスやナット等で形成された乱流発生体固定部９が設けられ、乱流発生部５の側面には乱流発生体７が挿入される挿入孔10が形成されており、乱流発生体７は、乱流発生部５の外側面から乱流発生体固定部９を介して挿入孔10に挿入されて固定される。
【００２３】
このように、ねじ形状の乱流発生体７を用い、乱流発生部５に乱流発生体固定部９および挿入孔10を形成した構成とすることにより、乱流発生体７を乱流発生部５に容易に設置でき、また、乱流発生体７の乱流発生部５の内周面からの突出長さが容易に調整できるので好ましい。
【００２４】
また、乱流発生体７の乱流発生部５の内周面からの突出長さが調整できる構成にすることにより、乱流発生体７によって乱流発生部５内で乱流が発生する最適な条件に調整でき、より確実に乱流発生部５内で乱流を発生できるので好ましい。
【００２５】
しかし、乱流発生体７としてねじ形状のもの用いることには限定されず、乱流発生体７は、乱流発生部５の内周面から突出するように設置できるものであれば、例えば棒状や板状のもの等でもよく、乱流発生部５に乱流発生体固定部９や挿入孔10を形成しない構成としてもよい。
【００２６】
乱流発生部５の先端部には長手方向を有する細長形状の噴出口４が設けられている。この噴出口４の長手方向と乱流発生体７の軸方向とが垂直になるように設定されることにより、乱流発生部５内で乱流が発生した液体が噴出口４から揺動しながら噴出し易いので好ましいが、乱流発生部５から液体が揺動しながら噴出できる構成であれば、噴出口４の長手方向と乱流発生体７の軸方向とが垂直な構成には限定されず、さらに、噴出口４の形状も、細長形状に限定されない。
【００２７】
なお、この実施の形態では、流入部２と絞り流路３とが一体的に形成され、絞り流路３と乱流発生部５の基端部とが嵌合された構成としたが、このような構成には限定されず、流入部２と絞り流路３と乱流発生部５とが連通していればよい。
【００２８】
次に、上記第１の実施の形態の作用および効果を図２を参照しながら説明する。
【００２９】
図２（ａ）および（ｂ）は、水流揺動ノズル体１内における断面方向の液体の流動の様子を模式的に示したものである。
【００３０】
水流揺動ノズル体１による例えば水等の液体の散水に際しては、まず、給水用の配管から流入部２へ液体を給水する。
【００３１】
流入部２に流入した液体は、流入部２と連通した絞り流路３に流入し、流入部２より内径の小さい絞り流路３に流入することによって、加圧され、乱流発生部５の方向へ付勢されて乱流発生部５に流入する。
【００３２】
付勢されて乱流発生部５に流入した液体は、乱流発生部５内で絞り流路３の先端部の近傍に位置する乱流発生体７に衝突する。
【００３３】
乱流発生部５内で乱流発生体７に衝突した液体は、乱流発生体７の周囲に回り込むように流動し、乱流発生部５内では、乱流発生体７より噴出口４側に渦８が生じ、液体に乱流が発生する。
【００３４】
特に、水流揺動ノズル体１の断面方向では、図２（ａ）に示されるように乱流発生体７の先端部側へ液体の主流が流動し、渦８によって主流から分かれた液体は、乱流発生体７を回り込むように、乱流発生体７の基端部側へ流動する。
【００３５】
このように、液体の主流が乱流発生体７の先端部側へ流動し、主流から分かれた液体は乱流発生体７の基端部側へ流動することにより、乱流発生部５内では、乱流発生体７の先端部側の液体の密度が乱流発生体７の基端部側の液体の密度より大きくなるとともに、乱流発生体７の先端部側の圧力が乱流発生体７の基端部側の圧力より高くなる。
【００３６】
したがって、乱流発生部５内では、乱流発生体７の先端部側から基端部側へ液体が流動し易い状態となるので、乱流発生体７の先端部側から基端部側へ押し出されるように基端部方向へ噴出口４から液体が噴出される。
【００３７】
さらに、乱流発生体７の先端部側から基端部側の方向へ液体が押し出されるように噴出されたことにより、水流揺動ノズル体１の断面方向では、図２（ｂ）に示されるように、乱流発生体７の先端部側の液体の密度が小さくなり、乱流発生体７の基端部側の液体の密度が乱流発生体７の先端部側の液体の密度より大きくなるとともに、乱流発生体７の先端部側の圧力より基端部側の圧力が高くなる。
【００３８】
したがって、乱流発生部５内では、乱流発生体７の基端部側から先端部側へ液体が流動し易い状態となり、乱流発生体７の基端部側から先端部側へ押し出されるように先端部方向へ噴出口４から液体が噴出される。
【００３９】
そして、乱流発生部５内で乱流によって水流揺動ノズル体１の断面方向の乱流発生体７の先端部側と基端部側とで圧力の変化が繰り返されることにより、乱流発生部５の噴出口４から液体を揺動させながら噴出される。
【００４０】
このように、流入部２と絞り流路３と乱流発生部５とが連通し、乱流発生部５に乱流発生体７が設けられたことにより、乱流発生部５に流入する液体を乱流発生体７に衝突させて、乱流発生部５内で液体に乱流を発生させ、乱流発生部５内の乱流発生体７の先端部側と基端部側との圧力を変化させられるので、乱流発生部５の噴出口４から液体を揺動させながら広範囲に噴出できる。
【００４１】
また、乱流発生部５において、絞り流路３の先端部近傍に位置するように乱流発生体７を設けることにより、乱流発生部５内で液体液体に乱流を発生させて、揺動させながら噴出する構成なので、水流揺動ノズル体１に例えば回転機構等を設ける必要がなく、容易に製造できる。
【００４２】
乱流発生体７の先端部が、乱流発生部５の長手方向に沿った中心軸上に位置するように、乱流発生体７を設置することによって、乱流発生部５内で液体を乱流発生体７に衝突させ、乱流発生部５の乱流発生体７より噴出口４側に渦８を発生させて、より確実に液体に乱流を発生できる。したがって、乱流発生部５内において、断面方向の乱流発生体７の先端部側と基端部側とで圧力の変化が起こり易くなり、液体をより確実に揺動させて広範囲に噴出できる。
【図面の簡単な説明】
【００４３】
【図１】本発明の水流揺動ノズル体の実施の形態を示す断面図である。
【図２】（ａ）、（ｂ）は、同上水流揺動ノズルにおける液体の流動の様子を示す断面図である。
【符号の説明】
【００４４】
１    水流揺動ノズル体
２    流入部
３    絞り流路
４    噴出口
５    乱流発生部
７    乱流発生体
【図１】
0004928404.tif 000002
【図２】
0004928404.tif 000003